(57)【特許請求の範囲】
【請求項１】
標準的な天井高さを有する標準空間と、この標準空間よりも低い天井高さを有する特殊空間とを備えた建物内に収納空間を設ける建物内収納空間の設置構造であって、連続配置された二つの前記特殊空間の上側空間を連通して前記収納空間が設けられ、二つの前記特殊空間の連続配置方向と直交する方向に対向して配置された前記標準空間の壁には、この標準空間と前記収納空間とを連通する収納物出し入れ用の壁開口部が形成されているとともに、この壁開口部は、連続配置された二つの前記特殊空間の前記上側空間に跨る横方向の長さを有し、前記標準空間は洗面室であり、連続配置された二つの前記特殊空間は浴室と便所であり、これらの浴室と便所の上側には、前記収納空間と、前記浴室のための換気用設備が設置された換気用設備空間と、が設けられ、前記浴室の上側に配置されているこの換気用設備空間の高さ寸法は、前記収納空間の高さ寸法と同じになっており、前記洗面室と前記浴室との間及び前記洗面室と前記便所との間にはドアが設けられていることを特徴とする建物内収納空間の設置構造。
【請求項２】
請求項１に記載の建物内収納空間の設置構造において、前記壁開口部には、開閉用の蓋が設けられていることを特徴とする建物内収納空間の設置構造。
【請求項３】
請求項１又は２に記載の建物内収納空間の設置構造において、前記収納空間の下側に連続配置された二つの前記特殊空間のうちの少なくとも一つの天井には、この特殊空間と前記収納空間とを連通する収納物出し入れ用の天井開口部が形成されていることを特徴とする建物内収納空間の設置構造。
【請求項４】
請求項３に記載の建物内収納空間の設置構造において、前記天井開口部には、開閉用の蓋が設けられていることを特徴とする建物内収納空間の設置構造。
【発明の詳細な説明】
【０００１】
【発明の属する技術分野】
本発明は、標準的な天井高さを有する標準空間と、この標準空間よりも低い天井高さを有する特殊空間とを備えた建物内に収納空間を設ける建物内収納空間の設置構造に係り、例えば、浴室の上側空間と便所の上側空間とを連通して収納空間を設ける場合などに利用できる。
【０００２】
【背景技術】
一般に、建物内には、居室空間の他、浴室や便所等の主々の機能を有する空間が設けられている。そして、これらの各空間の天井高さは、一律であることもあるが、各空間の使用目的等に応じて、様々な高さに設定されていることも多い。
【０００３】
このうち、後者のように様々な天井高さを設定する場合には、浴室や便所等の特定目的に使用される空間の天井高さを、居室空間の天井高さよりも低くするのが通常である。従って、浴室や便所等の上側には、天井高さを低くした分だけスペースが生じることになる。
【０００４】
そして、従来より、このようなスペースは、換気用設備の設置空間として用いられる等の有効利用が図られているが、このようなスペースを収納空間として利用するという提案もなされている。
【０００５】
【発明が解決しようとする課題】
しかしながら、浴室や便所等の特定目的に使用される空間の上側のスペースを収納空間として利用する場合には、一般的に浴室や便所等の空間は、それ程広い空間ではないことから、その上側のスペースも狭いものとなり、大きな物や長い物を収納するには不適当なものであった。
【０００６】
本発明の目的は、大きな物や長い物を収納できる広い収納空間を確保することができる建物内収納空間の設置構造を提供するところにある。
【０００７】
【課題を解決するための手段】
本発明は、標準的な天井高さを有する標準空間と、この標準空間よりも低い天井高さを有する特殊空間とを備えた建物内に収納空間を設ける建物内収納空間の設置構造であって、連続配置された二以上の特殊空間の上側空間を連通して収納空間を設けたことを特徴とするものである。
【０００８】
ここで、標準空間としては、居室空間等を挙げることができ、一方、特殊空間としては、浴室、脱衣所、洗面所、便所、廊下、納戸等を挙げることができる。但し、標準空間と特殊空間との関係は、天井高さの相違を基準とした相対的なものであり、特殊空間の天井高さが標準空間の天井高さよりも低ければよい趣旨であるので、標準空間および特殊空間の具体例は、上記例示の空間に限定されるものではない。例えば、上記例示では、脱衣所は、天井高さの低い特殊空間として扱われているが、標準的な天井高さを有する標準空間として扱ってもよく、その場合には、脱衣所よりも天井高さの低い特殊空間が少なくとも二つ存在すれば、本発明を適用することができる。従って、標準空間の「標準」という語は、標準的な目的に使用する空間を意味しているわけではなく、また、特殊空間の「特殊」という語は、特定目的に使用する空間を意味しているわけではなく、両空間は、その使用目的にかかわらず、天井高さの相違のみで区別されるものである。
【０００９】
また、「連続配置」とは、二以上の特殊空間が連鎖的に繋がって配置される場合、あるいは、例えば田の字状に四つの特殊空間が集合している場合等を含むものであり、要するに「連続配置された二以上の特殊空間」のうちの一つの特殊空間について見れば、他の特殊空間の少なくとも一つに隣接して配置されていればよい。従って、連鎖状の配置であれば、連鎖の端部に位置する特殊空間どうしは互いに隣接している必要はなく、また、連鎖の途中で分岐があってもよく（例えばＴ字状の連鎖配置等）、交差していてもよく（例えば十字状の連鎖配置等）、さらには、直線状に配置されている必要もなく折れ曲がった配置（例えばＬ字状、コの字状の連鎖配置等）であってもよい。
【００１０】
このような本発明においては、連続配置された二以上の特殊空間の上側空間を連通することにより、建物内に収納空間を設ける。従って、二以上の特殊空間の上側に跨った広い収納空間が確保され、大きな物や長い物、例えばスキーの板等の収納が可能となり、これにより前記目的が達成される。
【００１１】
また、前述した建物内収納空間の設置構造において、収納空間の下側に連続配置された二以上の特殊空間のうちの少なくとも一つの天井には、この特殊空間と収納空間とを連通する収納物出し入れ用の天井開口部が形成されていることが望ましい。
【００１２】
ここで、「二以上の特殊空間のうちの少なくとも一つの天井」であるから、天井開口部の設置個数は、一つに限定されるものではなく、複数の特殊空間に天井開口部を設けてもよい。また、一つの特殊空間に複数の天井開口部を設けてもよく、あるいは、一つの天井開口部が複数の特殊空間の天井に跨って形成されるような構成としてもよい。
【００１３】
このような天井開口部を設けた構成とした場合には、特殊空間と収納空間との間での収納物の出し入れ、つまり収納物の上下移動による出し入れが可能となる。
【００１４】
さらに、このような天井開口部は、蓋の設置されていない単なる開口部としてもよいが、天井開口部には、開閉用の蓋が設けられていることが望ましい。ここで、開閉用の蓋は、蝶番を用いた回動式のものとしてもよく、あるいは蛇腹状に折り畳まれるスライド式のもの等としてもよい。
【００１５】
このような開閉用の蓋を設けた構成とした場合には、特殊空間内の外観が良好なものとなり、また、空調を行う上での無駄も解消され、さらに、収納物の出し入れ作業時以外の時の収納物の落下が防止される。
【００１６】
そして、前述した建物内収納空間の設置構造において、収納空間の側方に隣接配置された標準空間の壁に、この標準空間と収納空間とを連通する収納物出し入れ用の壁開口部を形成しておいてもよい。
【００１７】
このような壁開口部を設けた構成とした場合には、標準空間と収納空間との間での収納物の出し入れ、つまり収納物の水平移動による出し入れが可能となる。なお、このような壁開口部の設置は、前述した天井開口部との併設であってもよく、あるいは壁開口部のみの単独設置であってもよい。また、壁開口部にも開閉用の蓋を設けておくことが好ましい。
【００１８】
また、以上に述べた本発明において、連続配置された二以上の特殊空間は、浴室、脱衣所、洗面所、便所、廊下、納戸のうちから選択された二以上の空間であることが好ましい。前述したように、特殊空間は、浴室等の特定目的に使用する空間である必要はなく、標準空間よりも天井高さが低ければよいものであるが、特に、これらの浴室等の特定目的に使用する空間であれば、天井高さを低く設定することが通常であることから、本発明を好適に適用することができるようになる。
【００１９】
なお、本発明は、ユニット式建物、パネル組立式の建物、在来式の建築方法による建物等、いずれの工法による建物であっても、適用することができる。また、収納空間は、ユニット化されていてもよく、されていなくてもよい。
【００２０】
【発明の実施の形態】
以下に本発明の一実施形態を図面に基づいて説明する。図１には、本実施形態の建物内収納空間の設置構造が適用された建物１の内部の斜視図が示され、図２には、建物１の縦断面図が示されている。建物１は、特に限定されるものではないが、ここでは二階建ての一般住宅であるものとする。
【００２１】
図１および図２において、建物１の一階部分には、居室１０と、便器２１等を備えた便所２０と、浴槽３１等を備えた浴室３０と、洗面台４１等を備えた洗面室４０とが設けられている。また、図２における便所２０および浴室３０の紙面奥側には、階段５１および踊り場５２を備えた階段室５０が設けられている。
【００２２】
便所２０の天井２２の高さと、浴室３０の天井３２の高さとは一致しており、これらの天井高さＨは、居室１０の天井１１の高さＫよりも低いものとなっている。また、洗面室４０の天井高さは、居室１０の天井高さＫと一致している。従って、居室１０および洗面室４０は、標準的な天井高さＫを有する標準空間に該当し、一方、連続配置された二つの空間である便所２０および浴室３０は、この天井高さＫよりも低い天井高さＨを有する特殊空間に該当する。なお、ここでは、洗面室４０の天井高さを居室１０の天井高さＫと一致させ、洗面室４０を標準空間として扱うこととしたが、洗面室４０の天井高さを便所２０および浴室３０の天井高さＨと一致させ、洗面室４０を特殊空間として扱うようにしてもよい。
【００２３】
便所２０の上側空間（天井２２の裏側空間）と、浴室３０の上側空間（天井３２の裏側空間）の一部とは、仕切が設けられることなく連通され、これにより、連続配置された二つの空間である便所２０および浴室３０の上側には、収納空間６０が形成されている。従って、収納空間６０の高さ寸法Ｌは、居室１０の天井裏空間１２の高さ寸法Ｍよりも大きく、かつ、収納空間６０の図２中における左右方向の幅寸法Ｗは、便所２０の左右方向の幅寸法Ｔよりも大きくなっている。また、浴室３０の上側空間の残りの一部（収納空間６０以外の部分）は、浴室３０内の換気用設備としてのファン７１およびダクト７２等の設置空間７０となっている。
【００２４】
便所２０の天井２２には、便所２０と収納空間６０とを連通する収納物出し入れ用の天井開口部８０が形成されている。この天井開口部８０には、開閉用の蓋８１が設けられている。蓋８１は、平板状の板状部材からなり、蝶番８２を中心として回動自在とされ、下方に引き下げて開くようになっている。なお、蓋８１は、上方に押し上げて開くようにしてもよい。また、天井開口部８０の周縁部には、収納物の落下防止用の上方に突出する枠（収納作業の妨げにならない程度の高さのものが好ましい。）を設けておいてもよい。
【００２５】
また、洗面室４０の壁４２には、洗面室４０と収納空間６０とを連通する収納物出し入れ用の壁開口部９０が形成されている。この壁開口部９０には、開閉用の蓋９１が設けられている。蓋９１は、蛇腹状に折り畳まれるスライド式のものである。なお、壁開口部９０は、便所２０の上側と、浴室３０の上側とに跨って比較的大きく形成されているが、図示の大きさよりも、さらに左右方向の幅寸法を大きくすることにより、大きな若しくは長い収納物の収納作業にさらに適すような大きさとしてもよい。
【００２６】
さらに、階段室５０の壁には、階段室５０と収納空間６０とを連通する収納物出し入れ用の階段開口部１００が形成されている。この階段開口部１００には、開閉用の蓋１０１が設けられている。蓋１０１は、平板状の板状部材からなり、蝶番を中心として回動自在とされ、踊り場５２側に引くことにより開くようになっている。なお、蓋１０１は、収納空間６０側へ押すことにより開くようにしてもよい。
【００２７】
このような本実施形態によれば、次のような効果がある。すなわち、便所２０の上側空間と、浴室３０の上側空間の一部とを、仕切を設けることなく連通したので、大きな収納空間６０を形成することができる。このため、大きな物や長い物、例えばスキーの板等を収納することができる。
【００２８】
また、便所２０の天井２２に天井開口部８０を形成したので、便所２０と収納空間６０との間の収納物の出し入れ、つまり収納物の上下移動による出し入れを行うことができる。このため、この天井開口部８０から、上述したような大きな物や長い物を収納することができることに加え、便所２０についての必需品、例えば、ストック用のトイレットペーパーやトイレ清掃用具等を収納することもできる。
【００２９】
さらに、天井開口部８０には、蓋８１が設けられているので、便所２０内の外観を良好に保つことができるうえ、便所２０内の臭いの収納空間６０への侵入を防ぐことができ、また、収納空間６０内に空調空気が流入することがないことから、便所２０内の空調を行う上での無駄も解消することができる。さらに、蓋８１が設けられているので、収納物の出し入れ作業時以外の時の収納物の落下を防止することができ、安心して用を足すことができる。
【００３０】
そして、洗面室４０の壁４２に壁開口部９０を形成したので、洗面室４０と収納空間６０との間での収納物の出し入れ、つまり収納物の水平移動による出し入れを行うことができる。このため、この壁開口部９０から、上述したような大きな物や長い物を収納することができることに加え、洗面室４０についての必需品、例えば、石鹸やタオル等の備蓄品を収納することもできる。
【００３１】
さらに、壁開口部９０には、蓋９１が設けられているので、洗面室４０内の外観を良好に保つことができるうえ、洗面室４０内の湿気（浴室３０に人が出入りする際に流入する湿気等）の収納空間６０への侵入を防ぐことができ、また、収納空間６０内に空調空気が流入することがないことから、洗面室４０内の空調を行う上での無駄も解消することができる。
【００３２】
また、階段室５０の壁に階段開口部１００を形成したので、階段室５０と収納空間６０との間での収納物の出し入れ、つまり収納物の水平移動による出し入れを行うことができる。このため、踊り場５２から、梯子や台等を使うことなく、容易に収納物の出し入れ作業を行うことができる。そして、階段開口部１００には、蓋１０１が設けられているので、階段室５０内の外観を良好に保つことができる。
【００３３】
なお、本発明は前記実施形態に限定されるものではなく、本発明の目的を達成できる範囲内での変形等は本発明に含まれるものである。
【００３４】
すなわち、前記実施形態では、天井開口部８０、壁開口部９０、階段開口部１００には、蓋８１，９１，１０１が設けられていたが、これらの蓋８１，９１，１０１の設置を省略してもよい。但し、外観上等の点で、これらの蓋８１，９１，１０１を設けておくことが好ましい。
【００３５】
また、各蓋８１，９１，１０１の種類は、蓋８１，１０１が蝶番による回動式のものであり、蓋９１が、蛇腹状に折り畳まれるスライド式のものであったが、蓋８１，１０１を蛇腹状に折り畳まれるスライド式のものとしてもよく、あるいは、蓋９１を蝶番による回動式のものとしてもよい。さらには、これらの蓋８１，９１，１０１は、蛇腹状に折り畳まれるスライド式のものに限らず、通常の押入や雨戸に用いられる引き戸の如きスライド式のものとしてもよく、あるいは、片側に蝶番を有する片開きの開き戸式のものに限らず、両側に蝶番を有する両開きの開き戸式のものとしてもよく、要するに、各開口部８０，９０，１００の開閉を行うことができればよい。
【００３６】
さらに、前記実施形態では、便所２０の天井２２と、浴室３０の天井３２とは、天井高さＨで一致したものとなっていたが、図３に示すように、特殊空間２００の天井２０１の高さＥと、これに隣接する特殊空間２０２の天井２０３の高さＦとを不一致とし、床面に段差２０５のある収納空間２０６を形成してもよい。
【００３７】
そして、前記実施形態では、連続配置された二つの特殊空間である便所２０および浴室３０のうち、一方の特殊空間である便所２０の天井２２にのみ天井開口部８０が形成されていたが、図３に示すように、連続配置された二つの特殊空間２００，２０２の両方の天井２０１，２０３に天井開口部２０７，２０８を形成してもよい。
【００３８】
また、前記実施形態では、収納空間６０の下側に連続配置される特殊空間は、便所２０および浴室３０とされていたが、本発明における特殊空間は、これらに限定されるものではなく、脱衣所、洗面所、廊下、納戸等、標準空間よりも天井高さが低い空間であれば、いずれの空間も、本発明における特殊空間として扱うことができる。
【００３９】
さらに、本発明における特殊空間は、前記実施形態の便所２０および浴室３０のような、ある区画された閉空間の全体に限定されるものではなく、ある区画された若しくは仕切られた空間の一部であってもよい。例えば、図４の水平断面図および図５の透視図（パース図）に示すように、開き戸３００によって仕切られる通路３０１と洗面所３０２とが隣接配置されているものとする。ここで、通路３０１の図中左側には、折戸３０３を備えた収納用の納戸３０４が設けられている。この納戸３０４の天井部分は、天棚３０５により形成され、この天棚３０５は、洗面所３０２の上部空間にまで至るように配置されている。従って、この場合には、天棚３０５の直上の空間が収納空間３０６であり、天棚３０５の直下に位置する納戸３０４の全体と、同じく天棚３０５の直下に位置する洗面所３０２の一部３０２Ａとが、連続配置された二つの特殊空間に該当するものとなる。一方、洗面所３０２の残りの一部３０２Ｂ（天棚３０５の直下または直上に位置しない部分）および通路３０１が、天棚３０５が設置された高さ位置（つまり、特殊空間の天井高さ）よりも高い天井高さを有する標準空間に該当するものとなる。
【００４０】
【発明の効果】
以上に述べたように本発明によれば、連続配置された二以上の特殊空間の上側空間を連通することにより、建物内に収納空間を設けるので、二以上の特殊空間の上側に跨った広い収納空間を確保することができ、大きな物や長い物、例えばスキーの板等の収納を行うことができるという効果がある。
【図面の簡単な説明】
【図１】本発明の一実施形態の建物内収納空間の設置構造が適用された建物の内部を示す斜視図。
【図２】前記実施形態の建物の縦断面図。
【図３】本発明の変形の形態を示す縦断面図。
【図４】本発明の別の変形の形態を示す水平断面図。
【図５】前記別の変形の形態の透視図（パース図）。
【符号の説明】
１  建物
１０  標準空間である居室
２０  特殊空間である便所
３０  特殊空間である浴室
４０  標準空間である洗面室（但し、洗面室は、実施形態によっては特殊空間として扱われることもある。）
６０  収納空間
８０  天井開口部
８１  蓋
９０  壁開口部
９１  蓋
２００，２０２  特殊空間
２０６  収納空間
２０７，２０８  天井開口部
３０１  標準空間である通路
３０２  一部が特殊空間であり、残りの一部が標準空間である洗面所
３０２Ａ  洗面所の一部であって特殊空間に該当する部分
３０２Ｂ  洗面所の残りの一部であって標準空間に該当する部分
３０４  特殊空間である納戸
３０６  収納空間
Ｈ  特殊空間である便所および浴室の天井高さ
Ｋ  標準空間である居室および洗面室の天井高さ
【図１】
0004260269.tif 000002
【図２】
0004260269.tif 000003
【図３】
0004260269.tif 000004
【図４】
0004260269.tif 000005
【図５】
0004260269.tif 000006